Podtech/llm-jp-corpus-v4-ja_patent huggingface dataset:
(57)【要約】      （修正有）【課題】持ち運びに便利で、使用時において棚布に色々な荷物を置くことができ、上下受布により必要に応じて反転して使用できる等、多目的に使用できる折り畳み式椅子を提供する。【解決手段】口の字形に形成した２本の支持枠２を中心軸３にてＸ状に開口すべく構成してなる支持本体４の２本の支持枠２の上端に上受布５を、下端に下受布６を架設してなること。【選択図】図１
2016154820.tif 000002
【特許請求の範囲】
【請求項１】
口の字形に形成した２本の支持枠を中心軸にてＸ状に開口すべく構成してなる支持本体の前記２本の支持枠の上端に上受布を、下端に下受布を架設してなることを特徴とする折り畳み式椅子。
【請求項２】
前記２本の支持枠に架設した前記上受布と下受布の間に、少なくとも１箇所、棚布を設けてなることを特徴とする請求項１記載の折り畳み式椅子。
【請求項３】
前記上受布と前記下受布を、上下反転させて使用できることを特徴とする請求項１又は２記載の折り畳み式椅子。
【発明の詳細な説明】
【技術分野】
【０００１】  本発明は、荷物が置け、上下反転して使用できる折り畳み式椅子に関するものである。
【背景技術】
【０００２】  従来の技術としては、水平な座面を構成する座板と、脚部を構成するそれぞれ各一対の第１の側板および第２の側板とを、丁番により折り畳み可能に構成した折り畳みであって、前記第１の側板は、略矩形状平板からなり、前記座板および第２の側板は、複数個のセグメントに分割し、各セグメント間を丁番により接続することにより、それ自体複数個に折り畳み可能な構成を有してなり、前記各セグメント間の丁番を開いた状態において、座板用の前記複数個のセグメントは前記水平な座面を構成し、前記第２の側板用の複数個のセグメントは、第２の側面が座面に作用する座荷重を実質的に支える機能を備えるものとしてなることを特徴とする折り畳み椅子がある。（特許文献１参照）【０００３】  別の従来技術として、管状の本体の両端に内側に折り畳むことのできる上４ほん、下４本の脚部を本体軸方向から見てＸ字になるように支持することができる支持部と、この上脚上端部に水平な天板部を形成し、この天板部を形成し、この天板部には両端を支持棒によって支えられたシート部の、当該支持棒両端部に形成された突起が着脱可能な差し込み穴を形成し、上記管状の本体の両端にはシート部を本体内に丸めて収納するための蓋となるキャップを設けたことを特徴とする携帯用椅子がある。（特許文献２参照）
【先行技術文献】
【特許文献】
【０００４】
【特許文献１】特開２００３−１５３７６０号公報
【特許文献２】特開２００６−８７８６７号公報
【発明の概要】
【発明が解決しようとする課題】
【０００５】  前記前者は、側板を折り畳む形態のもので、本発明のような荷物を置けたり、上下反転させて使用できるものではない。【０００６】  また、前記後者においても、シート部を本体内に丸めて挿入することを特徴とするもので、これもまた、本発明のような荷物を置けたり、上下反転させて使用できるものではない。【０００７】  本発明は、このような従来の構成が有していた問題を解決しようとするものであり、持ち運びに便利であると共に、使用時において棚布に色々な荷物を置くことができ、かつ、上下受布により必要に応じて反転して使用できる等、多目的に使用できる折り畳み式椅子を提供するものである。
【課題を解決するための手段】
【０００８】  本発明は、上記目的を達成するために、口の字形に形成した２本の支持枠を中心軸にてＸ状に開口すべく構成してなる支持本体の前記２本の支持枠の上端に上受布を、下端に下受布を架設してなること。前記２本の支持枠に架設した前記上受布と下受布の間に、少なくとも１箇所、棚布を設けてなること。前記上受布と前記下受布を、上下反転させて使用できることを特徴とする。
【発明の効果】
【０００９】１）布及び下受布により、例えば、上受布が破損しても下受布を使用でき、逆も同様であ    り、便利で実用性が高く、下受布に荷物を置ける。
２）上受布及び下受布共、例えば砂地で使用した時、めり込むことなく、安定して使用で    きる。
３）棚布を設けることにより、より多くの荷物を置くことができ便利である。
【図面の簡単な説明】
【００１０】
【図１】  本発明の第１実施例を示す折り畳み式椅子の側面図。
【図２】  本発明の第１実施例を示す折り畳み式椅子の正面図。
【図３】  本発明の第１実施例を示す折り畳み式椅子の使用状態図。
【図４】  本発明の第２実施例を示す折り畳み式椅子の側面図。
【図５】  本発明の第２実施例を示す折り畳み式椅子の正面図。
【発明を実施するための形態】
【００１１】  折り畳み式椅子１は、正面口の字形に形成した２本の例えばアルミパイプ製による支持枠２を中心軸３にて側面Ｘ状に開口すべく構成してなる支持本体４の前記２本の支持枠２の上端に上受布５を、下端にした下受布６をそれぞれ架設し、折り畳み自在に形成してある。
【００１２】  前記折り畳み式椅子１の使用例について説明する。
例えば、海辺等の砂地Ｓに折り畳み式椅子１の支持本体４を開口して接地する。
このとき、上受布５及び下受布６のどちらでも上下に設置すればよい。
この状態で、例えば下受布６に必要なものＭ（ペットボトル・お菓子・弁当等）を置くことができる。
このように、砂地Ｓに折り畳み式椅子１を設置してもめり込むことなく安定に保持できると共に、下受布６（上受布５）に物を置くことができ周囲を汚すこともない。
【００１３】  つぎに、第２実施例の折り畳み式椅子について説明する。
折り畳み式椅子２１は、前記折り畳み式椅子１に加え、上受布２５と下受布２６の間の支持枠２２間にピン７止めに棚布８・９を設けてなるものである。
【００１４】  この折り畳み式椅子２１は、棚布８・９により、より多くの荷物Ｎを置くことができる。
【００１５】  前記各実施例において、大きさや材質等は、特に限定するものではない。
【産業上の利用の可能性】
【００１６】  折り畳みで運べると共に、上下面両方使用でき、かつ、荷物を置ける等多目的に使用できるため、用途は各種レジャーやスポーツ観戦・屋外コンサート等、色々考えられます。
【符号の説明】
【００１７】  １―――折り畳み式椅子
２―――支持枠
３―――中心軸
４―――支持本体
５―――上受布
６―――下受布
Ｓ―――砂地
【図１】
2016154820.tif 000003
【図２】
2016154820.tif 000004
【図３】
2016154820.tif 000005
【図４】
2016154820.tif 000006
【図５】
2016154820.tif 000007
(57)【要約】【課題】既存の乳歯ケースは乳歯を保存する為のみで、置き場所も忘れてしまいがちになり、又開閉時には他の乳歯や永久歯と混ざってしまったり、こぼれてしまう事がある。  本発明は、乳歯の入出の混合や落下を防ぎつつ保管し、且つ長期にわたり歯に対する意識も楽しく高まり、歯の歴史を刻む事を目的とする。【解決手段】上下に開閉できる顔型のケースに、乳歯を保存する為の個々の取っ手付き蓋の装着を特徴とする透明乳歯ケースを口部分に取り付け、下顔ケースには永久歯、第三臼歯まで保存可能な場所を保有し、デジタル時計も装着された乳歯保存ケース。【選択図】図１
2016154819.tif 000002
【特許請求の範囲】
【請求項１】
（イ）本体ケースは半球体の上顔ケースと半球体の下顔ケースからなり上下の後部を丁番でつなぎ開閉自在とし、
（ロ）上顔ケース正面には顔シールを貼り、男女を区別するために色違いの布帽子を上顔ケースの頭部分に被せ、
（ハ）上顔ケース裏側の歯の部分に抜歯した乳歯を保存する為の透明な上乳歯保存ケースを複数設け、下顔ケースの裏側の歯の部分にも同じく、抜歯した乳歯を保存する為の透明な下乳歯保存ケースを複数設け、それぞれに乳歯保存ケース蓋、取っ手を設け、
（ニ）下顔ケースの下顎舌側部の永久歯、第三臼歯入れには永久歯または第三臼歯を保存し乳歯との区別化を図り、臼歯入れ丁番付きの臼歯入れ蓋を設け、開閉可能にする、
以上のように構成された乳歯保存ケース。
【請求項２】
顔型ケースの正面にデジタル時計を保有する請求項１の乳歯保存ケース。
【発明の詳細な説明】
【技術分野】
【０００１】  本発明は、乳歯および永久歯を保存するための入れ物であり外見の可愛さ長期保存の可能さを兼ね備えた容器であり、乳歯保存ケースに関するものである。
【背景技術】
【０００２】  従来、乳歯ボックス（ＴＯＯＴＨ  ＣＡＳＥ）は木製やプラスチック製の単純な箱型および本型、置物として保存のみを用途として作成されている。
【発明の概要】
【発明が解決しようとする課題】
【０００３】  既存の乳歯ケースは乳歯を保存する為のみで、置き場所も忘れてしまいがちになり、又開閉時には他の乳歯や永久歯と混ざってしまったり、こぼれてしまう事がある。
本発明は以上の問題点を解決するために発案されたものである。
【課題を解決するための手段】
【０００４】  子供顔ケースの口にあたる場所上下に透明乳歯保存ケースを複数ケースずつ配列し、個々の透明ケースには取っ手付きの蓋を装着する。下顎の舌側部分のくぼみには、丁番により開閉自由な蓋をつける。正面のあごの部分にはデジタル時計を付ける。
以上の構成よりなる乳歯保存ケース。
【発明の効果】
【０００５】  外ケースの顔部分を人間の子供顔にすることで、乳歯を保存していることを強調し、男女の区別をつける為に、色違いの帽子をかぶせる事で、可愛く愛着がわくようにする。乳歯を保存する場所は、透明の個々の蓋付きケースを使用することで乳歯の入っていることが外観からも一目両全に確認でき、乳歯入出の際に混入や落下を防ぐ。下顎の舌側部のくぼみには、永久歯や第三臼歯も保存可能で、開閉自在な蓋を付けたことで、乳歯との区別化も可能となり、長期にわたり愛用することができる。タンスにしまいっぱなしになりがちな乳歯ケースも、デジタル時計を付けることで、デコレーション価値が高まる。
【図面の簡単な説明】
【０００６】
【図１】本発明の正面図
【図２】本発明のケースを上下に開いた状態図
【発明を実施するための形態】
【０００７】  以下、本発明の実施の形態を説明する。
（イ）本体ケースは半球体の上顔ケース（１）と半球体の下顔ケース（２）からなり上下の後部を丁番（１２）でつなぎ、開閉自在とする。下顔ケース（２）の底は安定感を持たせるため平らなものとする。
（ロ）上顔ケース正面には顔シール（６）を貼る。又男女を区別するために色違いの布帽子（３）を上顔ケース（２）の頭部分に被せる。
（ハ）上顔ケース（１）裏側の歯の部分に抜歯した乳歯を保存する為の透明な上乳歯保存ケース（４）を１０ケース設ける。下顔ケース（２）の裏側歯の部分にも同じく抜歯した乳歯を保存する為の透明な下乳歯保存ケース（５）を１０ケース設ける。
乳歯保存ケースは上下で２０ケースとしそれぞれに乳歯保存ケース蓋（８）、取っ手（９）を設ける。本一実施例では上下１０ケースとした。
（ニ）下顔ケース（２）の下顎舌側部の永久歯第三臼歯入れ（１１）には永久歯または第３大臼歯を保存し乳歯との区別化を図り、臼歯入れ丁番（１３）付の臼歯入れ蓋（１０）を設ける事で開閉可能にする。
（ホ）下顔ケース（２）の正面あごの部分にはデジタル時計（７）を装着し、長期にわたり時が歯の歴史を刻む様子を感じ取れるようになる。
本発明は以上の様な構造である。
本発明を使用するときは、上顔ケース（１）と下顔ケース（２）を開き、上乳歯保存ケ−ス（４）又は、下乳歯保存ケース（５）の取っ手（９）を持ち上げ、乳歯保存ケース蓋（８）を開け、抜歯された乳歯を各々の定位置に保存する。再び乳歯保存ケース蓋（８）を閉じ上下顔ケース（１）（２）を合わせて閉じる。永久歯、又は第三臼歯を保存する時には、永久歯、第三臼歯入れ（１１）に保存し、上下顔ケース（１）（２）合わせて閉じる。
【符号の説明】
【０００８】１  上顔ケース、２  下顔ケース、３  布帽子、４  上乳歯保存ケース、
５  下乳歯保存ケース、６  顔のシール、７  デジタル時計、８  乳歯保存ケース蓋、
９  取っ手、１０  臼歯入れ蓋、１１  永久歯、第三臼歯入れ
１２  上顔ケースと下顔ケースの丁番、１３  臼歯入れ丁番い
【図１】
2016154819.tif 000003
【図２】
2016154819.tif 000004
(57)【要約】【課題】  書見台中央の下部に設けた支柱の頂部に、天秤型スティックの中央部を軸着する、そしてこのスティックの両端に鉤型の頁押え部を付ける、かかる書見台を提供する。【解決手段】  書見台中央の下部に支柱を設けて、その支柱の頂部に天秤型スティックの中央部を軸着する、尚スティックの軸穴は縦長の楕円形とする、そしてスティックの両端に鉤型の頁押え部を付け、且つこのスティックは支柱に沿って上下に移動出来るし、また支柱の根元を軸として前後に回動も出来る様にする、かかる特徴をもった書見台である。【選択図】図１
2016154818.tif 000002
【特許請求の範囲】
【請求項１】
書見台中央の下部に支柱を設けて、その支柱の頂部に天秤型スティックの中央部を軸着する、そしてスティックの両端を鉤型にして頁押え部とする、かかる特徴を持った書見台。
【請求項２】
請求項１のスティックの軸穴を縦長の楕円形とした書見台。
【請求項３】
請求項１のスティックが、支柱に沿って上下に移動出来る様にした書見台。
【請求項４】
請求項１のスティックが、支柱の根元を軸として回動出来る様にした書見台。
【発明の詳細な説明】
【技術分野】
【００１】  本発明は、書見台の頁押え部に関するものである。
【背景技術】
【００２】  従来、書見台に蝶着された頁押えがあった。
【発明の開示】
【発明が解決しようとする課題】  これには、次のような問題点があった。【００３】  頁嵩が増えると、頁の反発力で頁押えは開いてしまい、その役が果たせなかった。【００４】  これは厚手の本の場合は、当然に起こる事であった。【００５】  併し蝶番の締め付けを強くすると、差し込む時に頁紙が折れて頁押え部へ差し込めなくなってしまう。【００６】  また本を書見台に置く際、しばしば頁押え部が邪魔して本の設置に手間取った。
本発明は、これらの問題点を解決する為になされたものである。
【課題を解決するための手段】
【００７】  両端に鉤型の頁押え部を付けた天秤型のスティックを作り、そのスティック中央部を書見台中央の下部に設けた支柱の頂部に軸着する。【００８】  天秤型のスティック中央の軸穴を縦長の楕円形とする。【００８】  また、このスティックは支柱に沿って上下に移動出来るようにする。【００９】  さらに、スティックは支柱の根元を軸として回動できるようにする。
以上を特徴とする書見台である。
【発明の効果】
【０１０】  頁の嵩が増えて反発力が大きくなり、頁が頁押え部を押し上げようとする力は、天秤型スティックの端側にあるもう一方の頁押え部が頁を押し下げる力と相対する、従って頁押え部は上へはあがれない。【０１１】  また左右の頁嵩に差が出ても、天秤型スティックはその中央部を軸として左か右へ傾く事で、両端の頁押え部はバランスを保つ。【０１２】  スティック中央の軸穴を縦長の楕円形として、頁押え部が多少上下に動ける様にする事で、頁押え部への頁の差し込みを容易にする。【０１３】  頁を差し込む際、指で頁押え部の手前部分を少し押し下げると、頁は更にスムーズに頁押え部へ入って行く。【０１４】  併し薄い紙質の時などは、逆に頁押え部を少し持ち上げる感じで頁を差し込むと頁は折れずに入る。【０１５】  尤も、薄い紙質の時などは頁押え部を使わずに、支柱を手前に倒して頁を移動させる方法もある。【０１６】  そして、書見台へ本を置く際は支柱を手前に倒して、スティックを下げる事で、頁押え部に邪魔されず本の設置が出来る。【０１７】  書見台を収納する際は、支柱を奥へ倒してスティックを本置き台に接触させて動かない様にすると収まりが良い。
【発明を実施するための最良の形態】
【０１８】  以下、本発明の実施の形態について説明する。
（イ）鉤型にした頁押え部（４）を両端に付けた天秤型スティック（３）を作る。
（ロ）書見台（１）の本置き台（２）の中央の下部に、支柱軸受け台（１０）に左右を囲まれた支柱（８）を建てる。
（ハ）そして支柱（８）の頂部にスティック（３）の中央部を軸着する。
（ニ）尚、スティックの軸穴（５）は縦長の楕円形として、頁押え部（４）に多少の上下動の遊びを持たせる。
（ホ）支柱（８）をチャンネル型として、スティックの軸板（５）がチャンネル内を上下に移動出来る様にする。
（ヘ）且つチャンネル中央部に縦長の溝穴を設け、これへスティックの軸板留めネ
ジ（７）を通して、スティックの軸板（６）がチャンネルから抜け出ない様にする。
（ト）この支柱（８）の根元を支柱軸受け台（１０）に軸着して、支柱（８）が回動出来る様にする。
本発明は以上の様な構成である。
【図面の簡単な説明】
【０１９】
【図１】  本発明の斜視図
【図２】  本発明の支柱部分の斜視図
【図３】  本発明の支柱部分の分解斜視図
【図４】  本発明の実施例の斜視図
【符号の説明】
【０２０】  １  書見台
２  本置き台
３  スティック
４  頁押え部
５  スティックの軸穴
６  スティックの軸板
７  スティックの軸板留めネジ
８  支柱
９  支柱の軸
１０  支柱軸受け台
【図１】
2016154818.tif 000003
【図２】
2016154818.tif 000004
【図３】
2016154818.tif 000005
【図４】
2016154818.tif 000006
(57)【要約】【課題】支軸を設けなくてもよい技術と強度のある薄い素材を使用して、変形や破損する不都合を解消できるようにする。【解決手段】２には永久磁石を使用し、１には磁石に触れた時に自然に吸着する薄い金属素材を使用する。１には、中心部より外側に４を配置する。図１のように、ウェブカメラを使用する時は、２を１の上でスライドさせ、３を露出することで、撮影が可能となり、ウェブカメラを使用しない時は、図２のように２を１の中央にスライドさせ、３を覆うことにより撮影が不可能となり、覗き見や盗撮を防止できる。【選択図】図１
2016180970.tif 000002
【特許請求の範囲】
【請求項１】
パソコンに搭載されているウェブカメラレンズ部分の前面に、磁石に触れた時に自然に吸着する金属素材に、レンズを露出できる程度の「撮影用の穴」を配置したベース部品を設置し、その上に、永久磁石を素材とした、覗き見盗撮防止カバー部品を重設してレンズを覆い、撮影を不可能とし、前記カバー部品を、前記ベース部品上でスライドさせることによりレンズを露出させ、撮影を可能とする、ウェブカメラ用覗き見盗撮防止カバー。
【請求項２】
前記カバー部品の直径を、前記ベース部品より小さくした、請求項１のウェブカメラ用覗き見盗撮防止カバー。
【発明の詳細な説明】
【技術分野】
【０００１】  本発明は、他人のウェブカメラを利用しての覗き見や盗撮を防止することに関するものである。
【背景技術】
【０００２】  合成樹脂のフィルム状の薄いものを使用したカバーシートと穴を空けたベースシートを重ねて支軸を設け、その支軸を中心に揺動するものをカメラレンズの前面に両面テープなどを用いて接着させた状態で、カバーシートを揺動させることによってカメラレンズを覆ったり、覆いを解除する事ができるウェブカメラ用覗き見防止装置がある。
【先行技術文献】
【０００３】
【特許文献】
【特許文献】  特開２０１４−１６７５５９号
【発明の概要】
【発明が解決しようとする課題】
【０００４】  ところが、前記のウェブカメラ用覗き見防止装置は、カメラレンズを覆ったり、覆いを解除する事が目的なので、揺動先で固定させる事が重要である、その為には支軸を中心にベースシートとカバーシートに負担がかかり、揺動作業を繰り返した場合、支軸を中心にして、ベースシートやカバーシートが変形、破損する可能性がある為、合成樹脂のフィルム状の薄いものでは強度不足である。【０００５】  そこで、本発明は強度のある薄い素材を使用して、支軸を設けなくても良い技術で前記不都合を解消するウェブカメラ用の覗き見盗撮防止の役割を果たすことを目的とする。
【課題を解決するための手段】
【０００６】  パソコンに搭載されているウェブカメラレンズ部の前面に、磁石に触れた時に自然に吸着する金属素材に、レンズを露出できる程度の「撮影用の穴」を配置したベース部品を設置し、その上に、永久磁石を素材とした、覗き見盗撮防止カバー部品を重設してレンズを覆い、撮影を不可能とし、前記カバー部品を、前記ベース部品上でスライドさせることによりレンズを露出させ、撮影を可能とすることができる。
【発明の効果】
【０００７】  請求項１に記載の発明によれば、部品に強度が十分な金属と磁石を使用することに加え、磁力を利用することにより、支軸を設けなくても部品同士が自然に吸着する事により、特定の場所への負担をなくしたことで、変形や破損となる問題点を解消できる。【０００８】  請求項２に記載の発明によれば、ウェブカメラレンズ部分を露出させた状態から、覆った状態へと、覗き見盗撮防止カバー部品をスライドさせた時、磁石の効果によりベース部品からはみ出すこと無く、ほぼ中央へ容易に移動できる。
【図面の簡単な説明】
【０００９】
【図１】  本発明のウェブカメラ用覗き見盗撮防止カバーの撮影可能状態の正面図。
【図２】  本発明のウェブカメラ用覗き見盗撮防止カバーの撮影不可能状態の正面図。
【図３】  図２におけるウェブカメラ用覗き見盗撮防止カバーの背面図。
【図４】  本発明のウェブカメラ用覗き見盗撮防止カバーをパソコンに使用した場合の正面図。
【発明を実施するための形態】
【実施例】
【００１０】  以下、本発明の実施例に基づいて説明する。【００１１】  図１において、１はベース部品。２は覗き見盗撮防止カバー部品。３はパソコンに搭載されたウェブカメラレンズ部分。４はパソコンに搭載されたウェブカメラレンズ部分３を露出させる為、ベース部品１に配置された穴で、撮影可能な状態の正面図である。【００１２】  図２は、覗き見盗撮防止カバー部品２を、ベース部品１の中央に重なるようにスライドさせ、パソコンに搭載されたウェブカメラレンズ部分３を覆い撮影不可能な状態の正面図である。【００１３】  図３は、図２における背面図で、５はパソコンに搭載されたウェブカメラレンズ部分３の前面に１を貼付けて固定するための両面テープである。【００１４】  図４において、６は本発明のウェブカメラ用覗き見盗撮防止カバー。７はパソコン本体。８はパソコンのモニター部分であり、本発明のウェブカメラ用覗き見盗撮防止カバー６を、パソコンに搭載されたウェブカメラレンズ部分３の前面に設置し使用した場合の正面図である。【００１５】  前記、覗き見盗撮防止カバー部品２に永久磁石を使用し、ベース部品１には、磁石に触れた時に自然に吸着する金属素材を使用しているので、両部品同士が重設された状態を維持できる。【００１６】  また前記、両部品を薄く加工しても強度を十分に維持できる。【００１７】  ウェブカメラ撮影用の穴４を、中央より外側に設置することにより、図１の状態にした時、ベース部品１の上で、覗き見盗撮防止カバー部品２が吸着し固定できるスペースを、確保できる。【００１８】  上記、［００１７］の実施例に加え、覗き見盗撮防止カバー部品２の直径を、ベース部品１より小さくすることにより、覗き見盗撮防止カバー部品２を、ウェブカメラ撮影用穴４の方向にスライドさせるだけで、磁石の効果により、図２のようにベース部品１からはみ出すことなく、ほぼ中央へ容易に移動できる。
【符号の説明】
【００１９】  １．．．ベース部品
２．．．覗き見盗撮防止カバー部品
３．．．パソコンに搭載されたウェブカメラレンズ部分
４．．．ウェブカメラ撮影用の穴
５．．．貼付け用両面テープ
６．．．本発明のウェブカメラ用覗き見盗撮防止カバー
７．．．パソコン本体
８．．．パソコンのモニター部分
【図１】
2016180970.tif 000003
【図２】
2016180970.tif 000004
【図３】
2016180970.tif 000005
【図４】
2016180970.tif 000006
(57)【要約】      （修正有）【課題】断熱機能、防水機能、防音機能、遮音機能、省エネ機能、耐震機能、等を向上した建築物を提供する。【解決手段】無窓の建物内に採光するために、光ファイバー、光取入装置などを形成して、屋内の照明として採用することは一般的に知られているが、採光のみの考えであり、省エネルギーへの関心が高まっている現在においては期待に応えられるものでは無かったため、さらに建物の出入口３以外の外装を外装材Ｇにより全面被覆した建築物Ａである。【選択図】図１
2016180236.tif 000002
【特許請求の範囲】
【請求項１】
建物の出入口以外の外装を外装材により全面被覆したことを特徴とする建築物。
【発明の詳細な説明】
【技術分野】
【０００１】
本発明は、断熱機能、防水機能、防音機能、遮音機能、省エネ機能、耐震機能、等を向上した建築物に係るものである。
【背景技術】
【０００２】
建物内に採光するために、光ファイバー、光取入装置などを形成して、屋内の照明として採用することは一般的に知られている。
【先行技術文献】
【特許文献】
【０００３】
【特許文献１】実開昭５８−０７９８０８号公報
【特許文献２】特開２０１１−０１２４３１号公報
【発明の概要】
【発明が解決しようとする課題】
【０００４】
しかしながら、特許文献１、２は採光のみの考えであり、断熱機能、防水機能、防音機能、遮音機能、省エネ機能、等は考慮されておらず、省エネルギーへの関心が高まっている現在においては期待に応えられるものでは無かった。
【課題を解決するための手段】
【０００５】
本発明はこのような欠点を解決するために、建物の出入口以外の外装を外装材により全面被覆した建築物を提供するものである。
【発明の効果】
【０００６】
本発明に係る建築物によれば、外装に窓を形成しないので、（１）断熱機能を大幅に向上出来るので、暖房費・冷房費を大幅に節約できる建築物となる。（２）防水機能を大幅に向上した建築物となる。（３）防音機能を大幅に向上した建築物となる。（４）遮音機能を大幅に向上した建築物となる。（５）省エネ機能を大幅に向上した建築物となる。（６）耐震機能を大幅に向上した建築物となる。等の特徴、効果がある。
【図面の簡単な説明】
【０００７】
【図１】本発明に係る建築物の代表的一例を示す説明図である。
【図２】本発明に係る建築物の代表的一例を示す説明図である。
【発明を実施するための形態】
【実施例】
【０００８】
以下に図面を用いて本発明に係る建築物について詳細に説明する。図１は本発明に係る建築物Ａを示す平面図、図２は従来の建築物Ａ１を示す平面図である。
【０００９】
図１に示すように、建築物Ａには図２に示すような窓Ｍを採用しない、外装材Ｇを形成しないものである。
【００１０】
このように外装材Ｇにより、建物１の外装２全面を外装材Ｇにより形成することにより、断熱機能、防水機能、防音機能、遮音機能、省エネ機能、等を向上したものとなるものである。３は出入口である。
【００１１】
また、窓Ｍを形成しないために、図では屋上等に採光装置Ｓ、通風装置Ｔ、景色装置Ｋを形成し、建築物Ａ内の各部屋へ、光、通風、景色の投影等を行うものである。
【００１２】
また、出入口３は、外気の流入や風の吹きつけを緩和する目的で建物の出入口（玄関）前に部屋（風除室）を形成し屋内の環境に影響し無いように形成するものである。
【００１３】
採光装置Ｓは、外部の太陽光を光ファイバー等を利用することにより、各部屋の蛍光灯、省エネＬＥＤ照明、有機ＥＬ等の助光として利用されるものである。
【００１４】
通風装置Ｔは、外部の空気をフィルター等の浄化装置を介して屋内の各部屋へ通気させるために形成したものである。
【００１５】
また、景色装置Ｋは、窓Ｍを形成しないための閉鎖的空間、建築物内にてさまざまな業務につく社員のストレス解消等の目的にて建築物Ａ屋外の景色を屋内の各部屋にて内装壁をスクリーン化して投影するものである。
【符号の説明】
【００１６】
Ａ  建築物
Ａ１  建築物
Ｇ  外装材
Ｍ  窓
Ｔ  通気装置
Ｋ  景色装置
Ｓ  採光装置
１  建物
２  外装
３  出入口
【図１】
2016180236.tif 000003
【図２】
2016180236.tif 000004
(57)【要約】      （修正有）【課題】専門技術が無くとも容易に脱着ができ、器具を使った検査や装置の交換を短時間で安全に行うことができる中継ボックスを提供する。【解決手段】配管の途中にあらかじめ継手３の取り付いた中継ボックス６を設け、取り外しの可能な配管２（ダミー配管）を取り付けておく。必要に応じ、ダミー配管を外して器具・装置を取り付けられる様にする。【選択図】図１
2016023802.tif 000002
【特許請求の範囲】
【請求項１】
配管の継手の無い箇所に器具・装置を取り付ける際、ボックス内部に継手と取り外し可能な配管が付いて居り、これを外して容易に器具・装置を取り付ける事ができる中継ボックス。
【発明の詳細な説明】
【技術分野】
【０００１】本発明は建築設備の配管に関するものである
【発明の概要】
【発明が解決しようとする課題】
【０００２】配管の継手の無い箇所に器具・装置を取付けるときには、既存の配管を切断し新たに継手を取り付けて接続することが必要になる。
このため専門技術と費用を要する。また、その箇所が漏水の原因になりうる。
【発明が解決するための手段】
【０００３】配管の途中にあらかじめ継手の取り付いた中継ボックスを設け、取り外しの可能な配管（ダミー配管）を取り付けておく。
必要に応じ、ダミー配管を外して器具・装置を取付られるようにする。
【発明の効果】
【０００４】専門技術が無くとも容易に脱着ができ、器具を使った検査や装置の交換を短時間で安全に行うことができる。
【図面の簡単な説明】
【０００５】
【図１】ダミー配管装着時中継ボックスの平面図
【図２】ダミー配管取外し時中継ボックスの平面図
【図３】中継ボックスの正面図
【図４】中継ボックスの側面図
【発明を実施するための形態】
【０００６】
【実施例】
【０００７】水道配管の場合にダミー配管を外し、浄水装置のカートリッジの取付又は交換が容易になる。【０００８】水道配管に漏水の疑いがあるときに、ダミー配管を外し圧力検査ポンプ等を接続が容易になる。【０００９】断水の復旧時にダミー配管を外し、一次側にドレンホースを取付けて濁り水を捨てられるため配管内への濁り水の流入が防げる。
【符号の説明】
【００１０】１  中継ボックスの蓋
２  ダミー配管
３  配管配下接続の継手
４  ダミー配管接続の為の継手
５  ダミー配管取外し時
６  中継ボックス
【図１】
2016023802.tif 000003
【図２】
2016023802.tif 000004
【図３】
2016023802.tif 000005
【図４】
2016023802.tif 000006
(57)【要約】【課題】従来のグレーチングの固定方法では、溶接にて直接構造梁などに固定する方法においては、溶接により塗装が損傷する欠点や、固定後は取り外しが出来ない欠点があること、取り付けボルトを構造梁などに溶接しボルトで固定する方法においては、工場溶接では現地での位置調整が出来ないこと、現場溶接では塗装が損傷する欠点があること、構造梁などに孔を空けボルトで固定する方法においては、工場孔空けでは現地での位置調整が出来ないこと、現場孔空けは作業が困難であること、専用金具のボルトを締付け構造梁などに挟み込む方法においては、緩みやすく経年後脱落しやすい欠点があること、という問題がある。【解決手段】予め工場などで任意の間隔で設置できるグレーチング固定レール取付け用フックと、定間隔で孔を空けたグレーチング固定レールを用い、固定位置を自由に調整できる取付け金物で、現場での溶接、孔空けの作業をすることなくグレーチングを構造梁などに取り外し可能な方法で固定する。【選択図】図４
2016023542.tif 000002
【特許請求の範囲】
【請求項１】
予め工場などで任意の間隔にて取り付けておくことが可能な、長孔を有するため取付け位置の精度はグレーチングの固定に影響しないことを特徴としたグレーチング固定レール取付け用フックと定間隔の孔を有したグレーチング固定レール。
【請求項２】
長孔を有することにより、取付け位置の精度はグレーチングの固定に影響しないことを特徴とするレール用グレーチング固定金物。
【請求項３】
グレーチングの敷設固定において、固定位置を現場で自由に調整できるレール用グレーチング固定金物とそれを固定する定間隔の孔を有したレールとを有することを特徴とした、グレーチングの構造梁などへの固定方法。
【発明の詳細な説明】
【技術分野】
【０００１】  本発明は、グレーチング固定装置の形状と機構に工夫を加えることにより、敷設固定時の労力を低減し、且つ、取り外しが可能な固定方法を実現する。
【背景技術】
【０００２】  従来のグレーチングの固定方法においては、溶接にて直接構造梁などに固定する方法、取り付けボルトを構造梁などに溶接しボルトで固定する方法、構造梁などに孔を空けボルトで固定する方法、専用金具のボルトを締付け構造梁などに挟み込む方法などがある。
【発明の開示】
【発明が解決しようとする課題】
【０００３】  しかし、従来の方法では、溶接にて直接構造梁などに固定する方法においては、溶接により塗装が損傷する欠点や、固定後は取り外しが出来ない欠点があること、取り付けボルトを構造梁などに溶接しボルトで固定する方法においては、工場溶接では現地での位置調整が出来ないこと、現場溶接では塗装が損傷する欠点があること、構造梁などに孔を空けボルトで固定する方法においては、工場孔空けでは現地での位置調整が出来ないこと、現場孔空けは作業が困難であること、専用金具のボルトを締付け構造梁などに挟み込む方法においては、緩みやすく経年後脱落しやすい欠点があること、という問題がある。
本発明は、そのようなグレーチングの敷設固定方法に関する問題を解決することを課題とする。
【課題を解決するための手段】
【０００４】  この課題を解決するための発明は、固定位置を自由に調整できる取付け金物とそれを固定する定間隔の孔を有したレールとを有することを特徴とした、グレーチングの構造梁などへの固定方法である。
【発明の効果】
【０００５】  本発明により、従来工場で構造梁にボルトや孔などを設置し取付け位置を決定した場合では調節が出来なかった現場での取付け位置の調整や、現場で位置を決定する場合に行っていた現場での孔空けや溶接の作業をすることなく、現地での位置調整が可能、且つ、取り外し可能でありながら取り付け金物が脱落しにくい固定方法を提供する。
【図面の簡単な説明】
【０００６】
【図１】グレーチング固定レール取付け用フックを構造梁上に溶接で固定した図である。
【図２】グレーチング固定レール取付け用フックに、取付け用ボルトで定間隔の孔を有したグレーチング固定レールを取り付けた図である。
【図３】グレーチング固定レールに沿ってグレーチングを敷き並べた図である。
【図４】グレーチング固定レールに沿って敷き並べたグレーチングを、レール用グレーチング固定金物と取付け用ボルトで固定した図である。
【図５】レール用グレーチング固定金物の形状を示す図である。
【符号の説明】
【０００７】１  グレーチング固定レール取付け用フック
２  グレーチング固定レール
３  レール用グレーチング固定金物
４  取付け用ボルト
５  グレーチング
【発明を実施するための形態】
【０００８】以下、本発明の実施の形態を図１〜図５に基づいて説明する。
【０００９】図１の１は、グレーチング固定レール取付け用フックを示す。請求項１に示すように、長孔を有するため取付け位置の精度はグレーチングの固定に影響しないことを特徴としており、そのため予め工場などで任意の間隔にて取り付けておくことが可能である。
【００１０】次に図２の２は、グレーチング固定レールを示す。２のグレーチング固定レールは定間隔の孔を有し、１のグレーチング固定レール取付け用フックと４の取付けボルトで固定する。取付けに際し、図５に示す３のレール用グレーチング固定金物が長孔を有することにより、取付け位置の精度はグレーチングの固定に影響しないことを特徴とする。
【００１１】次に図３に示すように、２のグレーチング固定レールに沿って５のグレーチングを敷設する。
【００１２】次に図４に示すように、３のレール用グレーチング固定金物をグレーチング固定レールに定間隔で空けられた孔を用いて４の取付けボルトで固定することにより５のグレーチングを固定する。請求項２に示すように、３のレール用グレーチング固定金物は図５に示すように長孔を有するため、グレーチングのフラットバー位置に制限されることなく任意の位置で取り付けられることを特徴とする。
【００１３】以上のように、請求項３に記載の固定方法において、現場での孔空けや溶接の作業をすることなく、現地での位置調整が可能、且つ、取り外し可能でありながら取り付け金物が脱落しにくい固定方法が可能になる。
【産業上の利用可能性】
【００１４】  本発明により、従来工場で構造梁にボルトや孔などを設置し取付け位置を決定した場合では調節が出来なかった現場での取付け位置の調整や、現場で位置を決定する場合に行っていた現場での孔空けや溶接の作業をすることなく、現地での位置調整が可能、且つ、取り外し可能でありながら取り付け金物が脱落しにくい固定方法が可能になる。
【図１】
2016023542.tif 000003
【図２】
2016023542.tif 000004
【図３】
2016023542.tif 000005
【図４】
2016023542.tif 000006
【図５】
2016023542.tif 000007
(57)【要約】      （修正有）【課題】住人の人気を保ち長期間居住してもらえる高層集合住宅を提供する。【解決手段】住人が楽しめる集合場や社交ダンス場を高層集合住宅に設ける。【選択図】図１
2016023541.tif 000002
【特許請求の範囲】
【請求項１】
屋上に風雨に耐えられる社交ダンス場や集会場等の共同の娯楽場を設けた事を特徴とした高層集合住宅。
【発明の詳細な説明】
【技術の分野】
本発明は高層集合住宅の改良に係わるものである。
【背景の技術】
従来の高層集合住宅は各住居が孤立しており住人同士の社交機能がほとんどなく色々な困難な問題を抱えていた。
【発明の開示】
当発明は高層集合住宅内で広い場所を簡単に確保出来安い屋上又は最上階に社交ダンス場や集合場を設けたものである。
【発明が解決しょうとする課題】
当発明は集合高層住宅内の住人の孤立化を防ぎ楽しい生活を確保する物である。
【課題を解決しょうとする手段】
当発明は高層集合住宅内に広い社交ダンスの出来る広い会場や多くの人が集まれる集会場を出来るだけ安価に設ける事である。
【発明の効果】
当発明により高層集合住宅内の住人の孤立しない楽しい明るい生活が出来るように成る。
【発明を実施する為の最良の形態】
高層集合住宅の屋上に柱を少なく出来るドーム型の屋根で集会場を構成すると良い。
【実施例】  当発明の一実施例を第一図に図示し説明してある。
【産業上の利用の可能性】
健康に良い高層集合住宅が安価に出来る。
【図面の簡単な説明】
【図１】  図面は当発明の高層集合住宅の一部を図示したもので符号（１）は高層集合住宅の屋上に設けたドーム型の屋根を示し符号（２）は高層集合住宅の建築態様の一実施例を示す。
【図１】
2016023541.tif 000003
(57)【要約】      （修正有）【課題】小型風力発電機は２ｍ毎秒の弱い風でも、強風でも発電出来る。小型風車では４０ｍ毎秒まで発電可能な機種もあり風況に影響されずに設置することが出来る。１ｋＷの機種を４−８台ユニットにして縦ｘ横ｘ高さ１０台づつ組み合わせると４−８ｘ１０００台となり数ＭＷの大型風力発電機となる。このとき効率よく多くの小型風力発電機を集合する方法が必要となる。【解決手段】本発明は、規格のコンテナーの骨組みに２０フィートコンテナーの場合３台，４０フィートコンテナーの場合６台程度の小型風力発電機を互いの干渉がないように設置しコントローラー等も配置し現場の架台に直接設置できる。コンテナー同士は強風に耐えるように適切に連結固定する。コンテナー型風力発電ユニットを補強結合ユニットを用いて積み上げることにより強固に安全に結合出来る。【選択図】図１
2016023640.tif 000002
【特許請求の範囲】
【請求項１】
本発明は、規格のコンテナー等の骨組みに２０フィートコンテナーの場合３台，４０フィートコンテナーの場合６台程度の小型風力発電機を互いの干渉がないように設置しコントローラー等も配置し現場の架台に直接設置する。コンテナーどうしは適切に連結固定する。また自動的に風車のピッチを調整する機種を用いたり強風に強いピッチを何種類か用意することにより全体の効率をあげることが可能である。コンテナー型風力発電ユニットどうしを補強結合ユニットを用いて積み上げることにより強固に安全に結合出来る。これにより大型の風力発電装置を船を含む設置場所で簡易に設置出来る。
【発明の詳細な説明】
【技術分野】
【０００１】  本発明は、小型風力発電機をコンテナーユニットに搭載しコンテナーをくみ上げることにより大型風車相当の発電量を実現するものである。
【背景技術】
【０００２】    小型風力発電機は２ｍ毎秒の弱い風でも発電を開始し強風でも発電出来る。大型風車は強風時は停止しなくてはならない。小型風車では４０ｍ毎秒まで発電可能な機種もあり風況に影響されずに設置することが出来る。１ｋＷの機種を４−８台ユニットにして縦ｘ横ｘ高さ１０台づつ組み合わせると４−８ｘ１０００台となり数ＭＷの大型風力発電機となる。【０００３】例えば運送用コンテナー等の骨組みを利用するとトレーラーでどこにでも搬送でき船に積み込みが楽に出来る。
台船に積み込めば容易に海上大型風力発電が実現される。山の稜線にそって木の間に並べれば景観も損なわずに設置できる。
船の上部に並べれば横風により発電しながら船の動力の補助機能を持った新しい帆船と呼べる船を実現できる
【発明の概要】
【０００４】    小型風力発電機の１ｋＷの機種を４−８台ユニットにして縦ｘ横ｘ高さ１０台づつ組み合わせると４−８ｘ１０００台となり数ＭＷの大型風力発電機となる。
例えば運送用コンテナーの骨組みを利用するとトレーラーでどこにでも搬送でき船に積み込みが楽に出来る。
台船に積み込めば容易に海上大型風力発電が実現される。山の稜線にそって木の間に並べれば景観も損なわずに設置できる。
船の上部に並べれば横風により発電しながら船の動力の補助機能を持った新しい帆船と呼べる船を実現できる。
フレームを軽量なアルミ合金等で作ればビルの屋上等に容易に設置できる。
リニアーコライダーでは多くの電力を必要とするがコライダーの地上部の一部に太陽光発電を上にのせた風力発電ユニットをならべて必要電力の半分程度をまかなうことが出来る。（１０ｋｍｘ１０ｍで６０ＭＷ風力のみ）
現状では国産の小型風力発電機は高価であり価格競争力がないが輸入品では１ｋＷで２０万円を切るものもあり大量生産することにより価格は低下すると思われる。
【発明が解決しようとする課題】
【０００５】  解決しようとする問題点は、小型風力発電機を効率良く強風に耐えるように強固に設置することである。
【課題を解決するための手段】
【０００６】  本発明は、規格のコンテナー等の骨組みに２０フィートコンテナーの場合３台，４０フィートコンテナーの場合６台程度の小型風力発電機を互いの干渉がないように設置しコントローラー等も配置し現場の架台に直接設置できる。コンテナーどうしは適切に連結固定する。また自動的に風車のピッチを調整する機種を用いたり強風に強いピッチを何種類か用意することにより全体の効率をあげることが可能である。別紙図１および図２のようにコンテナー型風力発電ユニットを補強結合ユニットを用いて積み上げることにより強固に安全に結合出来る。これにより設置場所での作業を少なくすることが出来る。
【発明の効果】
【００７】  現在実施例は無いが，多くの小型風力発電機メーカーの性能から大電力応用の可能性が類推できる。
広い風速で発電できる小型風力発電機の特徴を用いて陸上風力発電、海上風力発電、船舶の補助動力、少しの補強を加えて海岸での津波の避難棟の構築等に応用できる。
【図面の簡単な説明】
【００８】
【図１】図１は小型風力発電機集合コンテナーユニット風力発電機の実施方法を示した説明図である。
【図２】図２は小型風力発電機集合コンテナーユニット風力発電機コンテナーの結合方法の実施方法を示した説明図である。
【図３】図３は小型風力発電機集合コンテナーユニット風力発電機のリニアーコライダーに置ける実施方法を示した説明図である。
【図４】図４は小型風力発電機集合コンテナーユニット風力発電機の風力発電船の一例の実施方法を示した説明図である。
【図１】
2016023640.tif 000003
【図２】
2016023640.tif 000004
【図３】
2016023640.tif 000005
【図４】
2016023640.tif 000006
(57)【要約】【課題】停電時に予備電源装置として利用するバッテリーの電力を人力発電機により供給し、建物の各電気機器に利用すると共に、発電量や必要電力量を可視化する装置を実現する。【解決手段】人力発電機２と発電装置４を用いて、人力発電によって得られる電力をバッテリー５に供給する。停電時は、電源切替装置７を利用しコンセント８を介して、建物６内の各電気機器の電力として供給された電力を利用する。さらに、電力表示器３に発電量や各電気機器の必要電力量を表示する。これらによりへ人力発電によって得られる電力を効率良く利用出来、人力発電機２利用者は必要電力量を把握し、適した分だけ発電することが出来るため、人力発電の無駄を省くことが可能となる。【選択図】図１
2016023082.tif 000002
【特許請求の範囲】
【請求項１】
停電時におけるエレベーターの運転を制御する予備電源装置を設けたバッテリーに接続され、
上記バッテリーに電力を供給する人力発電機を備えたことを特徴とする人力エレベータ駆動装置。
【請求項２】
停電時に、バッテリー内の電力を建物の各電気機器に供給する電源切替装置を備えたことを特徴とする請求項１に記載の人力エレベータ駆動装置。
【請求項３】
人力発電機の上に電力表示器を設けたことを特徴とする請求項１記載の人力エレベータ駆動装置。
【請求項４】
電力表示器に、バッテリー内の電力残量、建物の各電気機器の利用可否と利用可能時間を表示するものとしたことを特徴とする請求項３に記載の人力エレベータ駆動装置。
【発明の詳細な説明】
【技術分野】
【０００１】
この発明は、主として集合住宅(マンション)など人口の多い場所に設置されるエレベーターであって、特に停電時に人力による発電でエレベーターを駆動する際に使用される人力エレベーター駆動装置に関する。
【背景技術】
【０００２】
従来、フィットネスバイクからなる人力発電機を、エレベーターのかご床内に設置し、エレベーター装置の占有スペースを昇降搬送以外に利用することが提案されている。
【０００３】
また、人力発電機を人力駆動し、発生した電力をエレベーター装置の制御盤に供給してエレベーター装置の運転を制御している。(例えば、特許文献１参照)。
【先行技術文献】
【特許文献】
【０００４】
【特許文献１】特開２００５−７５５７８号公報
【発明の概要】
【発明が解決しようとする課題】
【０００５】
従来、建物から制御盤への電力供給が停止した時、すなわち停電時においては予備電源を設けたバッテリー装置(停電時自動着床装置)を利用してエレベーターの制御を行っているが、予備電源を設けたバッテリー装置内の電力は、エレベーターを制御する目的以外では利用することが出来ない。
【０００６】
また、人力発電機による人力駆動時において、エレベーターの所定の動作を行なわせるために人力発電機の利用者が発電すべき電力量を知る術はなかった。
【０００７】
本発明の目的は、人力発電機によって発電した電力でエレベーターを駆動する人力エレベーター駆動装置において、前記エレベーターの所定の動作を行なわせるために必要な発電量に関する情報を提供し、発電作業時の作業者の利便性を向上させることが可能な人力エレベータ駆動装置を提供することにある。
【課題を解決するための手段】
【０００８】
この発明による人力エレベータ駆動装置は、人力発電機によって発生した電力をバッテリ（停電時自動着床装置）に供給し、電源切替装置を介して建物内のコンセントへ電力を供給し、建物内の各電気機器の利用を可能とすると共に、人力発電機の利用者に対し、現在の発電量、バッテリー内の電力残量、各電気機器の利用可否を表示する手段を設け、視覚的に提供することを特徴とする。
【発明の効果】
【０００９】
この発明による人力エレベータ駆動装置によれば、人力発電機を要時に人力駆動し、発生した電力をバッテリー（停電時自動着床装置）に供給し、エレベーターを制御する目的以外でバッテリー内の電力を利用可能となる。
【００１０】
また、各電気機器を利用する際に必要な電力量を表示することにより、人力発電機の利用者が適した分だけ発電することが可能であるため利便性の向上効果がある。
【図面の簡単な説明】
【００１１】
【図１】この発明の実施の形態を表す図で、エレベーター装置を概念的に示ず縦断面図である。
【図２】図１における電力表示器のイメージ図である。
【発明を実施するための形態】
【００１２】
図１は、この発明の実施の形態を表す図である。図において、建物６の外部には、フィットネスバイクからなる人力発電機２と電力表示器３、発電装置４が設置される。発電装置４は人力発電機２に接続され、人力発電機２の上部に電力表示器３が設けられる。建物６の上部には、バッテリー５とエレベーター装置の制御盤１が設置される。バッテリー５は、建物６から制御盤１への電力供給が停止した時、すなわち停電時に、制御盤１へ電源を供給する予備電源装置である。バッテリー５は発電装置４に接続され、制御盤１はバッテリー５に接続される。また、建物６には電源切替装置７とコンセント８が設置される。電源切替装置７はバッテリー５に接続され、コンセント８は電源切替装置７に接続される。なお、電源切替装置７への電源供給は、建物６から制御盤１への電力供給が停止した時、すなわち停電時に行う。この状態で、人力発電機２、すなわちフィットネスバイクのペダルを回転させると発電装置４により電力が発生し、発生した電力がバッテリー５に供給される。停電時は電源切替装置７を利用し、バッテリー５の電力をコンセント８を介して建物６内の各電気機器に電力供給を可能とする。これにより、停電時、バッテリー５の電力はエレベーターを利用する目的だけでなくへ建物６内の各電気機器の電力としでも利用可能となる。
【００１３】
図２に示すように、この時電力表示器３には、バッテリー５内の総蓄電量、建物６内の電気機器一覧、各電気機器に対する、バッテリー５内の電力残量での利用可否と利用可能時間を表示する。これにより、人力発電機２利用者は発電量を把握することが可能となり、必要電力量以上の発電をすることなく無駄を省くことが出来る。また、建物６内の各電気機器の利用可否を視覚的に提供することにより、バッテリー５内に充電された電力を効率良く利用することが可能となる。
【符号の説明】
【００１４】
１  制御盤
２  人力発電機
３  電力表示器
４  発電装置
５  バッテリー（停電時自動着床装置）
６  建物
７  電源切替装置、
８  コンセント
【図１】
2016023082.tif 000003
【図２】
2016023082.tif 000004